(57)【要約】【課題】電力計測器の基準値ずれの誤検出を防止することができる分散型発電装置を提供することを目的とする。【解決手段】受電点１０３に電力が流れるように制御する制御器１１１と、受電点１０３の電力を計測する電力計測器とを備え、制御器１１１は、受電点１０３に電力を流したときに電力計測器１１０が計測する電力値が所定範囲以内の場合、電力計測器１１０の基準値を検出し、前記電力計測器が計測する電力値と基準値との差より電力値を算出し、所定範囲より大きい場合、異常判定、報知、運転停止及び運転禁止のうちの少なくとも１つの処理を行う。【選択図】図１
2013258794.tif 000002
【特許請求の範囲】
【請求項１】
発電器を備え、電力系統と連系する分散型発電装置であって、
前記電力系統と前記分散型発電装置との間の電線に電力が流れるように制御する制御器と、
前記電線に流れる電力を計測する電力計測器と、
を備え、
前記制御器は、前記電線に電力を流したときに前記電力計測器の計測電力値が所定範囲以内の場合、前記計測電力値を前記電力計測器の基準値とし、前記電力計測器の計測電力値と基準値との差より電力値を算出し、
前記電線に電力を流したときに前記電力計測器の計測電力値が所定範囲より大きい場合、異常判定、報知、運転停止及び運転禁止のうちの少なくとも１つの処理を行う、分散型発電装置。
【請求項２】
前記制御器は、前記電力計測器が計測動作を停止するよう制御し、かつ、前記電線に電力が流れるよう制御する、請求項１に記載の分散型発電装置。
【請求項３】
前記制御器は、前記電力系統から電力供給される負荷を制御する動作、及び、前記発電器の出力を変動させる動作のうちの少なくとも１つの動作を行うことで前記電線に電力が流れるよう制御する、請求項１又は２のいずれか１項に記載の分散型発電装置。
【請求項４】
発電器を備え、電力系統と連系する分散型発電装置の運転方法であって、
前記電力系統と前記分散型発電装置との間の電線に流れる電力を計測する電力計測ステップと、
前記電線に電力を流すステップと、
前記電線に電力を流したときに計測する電力が所定範囲以内の場合、前記計測電力値を基準値とする基準値検出ステップと、前記計測電力値と基準値との差を算出する電力算出ステップと、
前記電線に電力を流したときに計測する電力が所定範囲より大きい場合、異常判定、報知、運転停止及び運転禁止のうちの少なくとも１つを行う判定ステップと、
を備える、分散型発電装置の運転方法。
【請求項５】
前記電線に電力を流すステップは、前記電力計測器が計測動作を停止するよう制御し、かつ、前記電線に電力を流す、請求項４に記載の分散型発電装置の運転方法。
【請求項６】
前記電線に電力を流すステップは、前記電力系統から負荷に電力を供給する、及び、前記発電器の出力を変動させるうち少なくとも１つを行うことで前記電線に電力を流す、請求項４又は５のいずれか１項に記載の分散型発電装置の運転方法。
【発明の詳細な説明】
【技術分野】
【０００１】
本発明は、電力系統と連系して、電力系統および家庭内負荷の少なくとも一方へ交流電力を供給する分散型発電装置、および分散型発電装置の運転方法に関するものである。
【背景技術】
【０００２】
従来、この種の分散型発電装置は、例えば図５に示す構成が開示されている（例えば、特許文献１参照）。
【０００３】
以下に、特許文献１に示されている分散型発電装置について説明する。
【０００４】
図７は、従来の分散型発電装置のブロック図である。
【０００５】
図７に示すように、電力系統１は、受電点２、電力計測器３、家庭用分電盤１１を介して負荷９に接続され、電力系統１から受電点２に受電電力Ｐ１が供給され、家庭用分電盤１１内のサービスブレーカ１２、漏電ブレーカ１３、さらに分岐ブレーカ１４ｂ、１４ｃ、１４ｄを介して負荷９に電力が供給される。
【０００６】
発電装置４は、燃料電池を備えた発電部５、インバータ６、制御装置７および補機１０を備え、インバータ６は発電部５で発電された電力を調整し、出力電力Ｐ２として、家庭用分電盤１１内の分岐ブレーカ１４ａ〜１４ｄを介して負荷９に出力するものである。制御装置７は、電力計測器３から計測信号Ｓ１を受け取り、これに基づいて制御信号Ｓ４によるインバータ６の出力動作、制御信号Ｓ３による負荷９の駆動、補機１０の駆動等をそれぞれ制御する。補機１０は、インバータ６からの出力電力Ｐ３により駆動され、制御装置７の制御信号Ｓ２により制御される。
【０００７】
また、負荷９で消費される電力を把握するために電力計測器３を受電点２またはその近傍に配置し、受電電力Ｐ１および発電電力Ｐ２をそれぞれ計測するようにしている。
【０００８】
ここで、発電装置４が運転中の場合、電力計測器３から送られてくる計測信号Ｓ１に基づいて受電点２の電力が一定期間の間に変化しない場合は、電力計測器３が断線等により故障しているものと判断し、発電部５および補機１０に停止信号を送り、発電装置４の運転を停止させる。またインバータ６の出力を変化させたり、インバータ６を短時間ゲートブロックしたり、補機１０の出力を変化させたり、負荷９を変化させたりした場合、電力計測器３から送られてくる計測信号Ｓ１に基づく受電点２の電力が、前述のように変化させる前後の一定期の間に変化しない場合も、同様の判断をして発電装置４の運転を停止させる。
【先行技術文献】
【特許文献】
【０００９】
【特許文献１】特開２００９−７９９３５号公報
【発明の概要】
【発明が解決しようとする課題】
【００１０】
しかしながら、従来の構成では、断線等による電力計測器の故障を検出することはできるが、電力計測器の経年変化や温度ドリフトなどにより発生する電力計測器の零点などの基準値とのずれは検出できない。
【００１１】
具体的な電力計測器の基準値ずれを検出する方法としては、受電点において電力が流れていないときに検出する方法があるが、すべての負荷を制御できなければならないことや、装置自体が電力を消費することから実施するのは困難である。別の方法としては、作業者が電力計測器を取り外し、基準値ずれを検出する方法がある。しかし、作業ミスにより電力計測器が取外されてない場合、電力計測器の基準値ずれを誤検出してしまうという課題を有していた。
【００１２】
本発明は、従来の課題を解決するもので、電力計測器が電力計測する電線に電力を流し、電力計測器が電線上にないことを確認した後、電力計測器の基準値を検出することで、基準値ずれの誤検出を防止することができる分散型発電装置を提供することを目的とする。
【課題を解決するための手段】
【００１３】
従来の課題を解決するために、本発明の分散型発電装置は発電器を備え、電力系統と連系する分散型発電装置であって、電力系統と分散型発電装置との間の電線に電力が流れるように制御する制御器と、電線に流れる電力を計測する電力計測器と、を備え、制御器は、電線に電力を流したときに電力計測器の計測電力値が所定範囲以内の場合、計測電力値を電力計測器の基準値とし、電力計測器の計測電力値と基準値との差より電力値を算出し、電線に電力を流したときに電力計測器の計測電力値が所定範囲より大きい場合、異常判定、報知、運転停止及び運転禁止のうちの少なくとも１つの処理を行うものである。
【００１４】
これによって、電力計測器が電力計測する電線に電力を流し、電力計測器が電線上にないことを確認した後、電力計測器の基準値を検出することで、基準値ずれの誤検出を防止することができる。
【発明の効果】
【００１５】
本発明の分散型発電装置は、電力計測器が電力計測する電線に電力を流し、電力計測器が電線上にないことを確認した後、電力計測器の基準値を検出することで、基準値ずれの誤検出を防止することができる。さらに、基準値を正常に検出できるため、正確な電力計測ができる。
【図面の簡単な説明】
【００１６】
【図１】本発明の実施の形態１における分散型発電装置のブロック図
【図２】同実施の形態における電力計測器の基準値検出の流れを示すフローチャート
【図３】同実施の形態における電力計測器の詳細図と周辺図
【図４】同実施の形態における電力算出の流れを示すフローチャート
【図５】本発明の実施の形態２における分散型発電装置のブロック図
【図６】同実施の形態における電力計測器の基準値検出の流れを示すフローチャート
【図７】従来の分散型発電装置のブロック図
【発明を実施するための形態】
【００１７】
第１の発明は、発電器を備え、電力系統と連系する分散型発電装置であって、電力系統と分散型発電装置との間の電線に電力が流れるように制御する制御器と、電線に流れる電力を計測する電力計測器と、を備え制御器は、電線に電力を流したときに電力計測器の計測電力値が所定範囲以内の場合、計測電力値を電力計測器の基準値とし、電力計測器の計測電力値と基準値との差より電力値を算出し、電線に電力を流したときに電力計測器の計測電力値が所定範囲より大きい場合、異常判定、報知、運転停止及び運転禁止のうちの少なくとも１つの処理を行う。これにより、電力計測器の基準値ずれの誤検出を防止することができる。
【００１８】
第２の発明は、特に、第１の発明において、制御器は、電力計測器が計測動作を停止するよう制御し、かつ、電線に電力が流れるよう制御する。これにより、自動で電線を流れる電力を電力計測器が計測できないようにすることができ、電力計測器の基準値ずれの誤検出を防止することができる。
【００１９】
第３の発明は、特に、第１又は２のいずれか１つの発明において、制御器は、電力系統から電力供給される負荷を制御する、及び、発電器の出力を変動させるうち少なくとも１つを行うことで電線に電力が流れるよう制御する。これにより、電力系統および分散型発電装置の出力を消費する負荷の消費電力に関わらず、電線に電力を流すことができる。
【００２０】
第４の発明は、発電器を備え、電力系統と連系する分散型発電装置の運転方法であって、電力系統と分散型発電装置との間の電線に流れる電力を計測する電力計測ステップと、電線に電力を流すステップと、電線に電力を流したときに計測する電力が所定範囲以内の場合、計測電力値を基準値とする基準値検出ステップと、計測電力値と基準値との差を算出する電力算出ステップと、電線に電力を流したときに計測する電力が所定範囲より大きい場合、異常判定、報知、運転停止及び運転禁止のうちの少なくとも１つを行う判定ステップと、を備える。これにより、電力計測器の基準値ずれの誤検出を防止することができる。
【００２１】
第５の発明は、特に、第４の発明において、電線に電力を流すステップは、電力計測器が計測動作を停止するよう制御し、かつ、電線に電力を流す。これにより、自動で電線を流れる電力を電力計測器が計測できないようにすることができ、電力計測器の基準値ずれの誤検出を防止することができる。
【００２２】
第６の発明は、特に、第４又は５のいずれか１つの発明において、電線に電力を流すステップは、電力系統から負荷に電力を供給する、及び、発電器の出力を変動させるうち少なくとも１つを行うことで電線に電力を流す。これにより、電力系統および分散型発電装置の出力を消費する負荷の消費電力に関わらず、電線に電力を流すことができる。
【００２３】
以下、本発明の実施の形態について、図面を参照しながら説明する。なお、この実施の形態によって本発明が限定されるのもではない。
【００２４】
（実施の形態１）
以下に、本発明の実施の形態１における分散型発電装置について、詳細に説明する。
【００２５】
図１は、本発明の実施の形態１における分散型発電装置のブロック図である。図２は、同実施の形態における電力計測器の基準値検出の流れを示すフローチャートである。図３は、同実施の形態における電力計測器の詳細図と周辺図である。図４は、同実施の形態における電力算出の流れを示すフローチャートである。
【００２６】
図１には、商用電源でもある電力系統１０１と、分散型発電装置１０２と、電力負荷１０４を図示している。ここで、電力系統１０１は、単相三線式の交流電源である。電力負荷１０４は、一般家庭で使用されるテレビ、エアコン等などで、電力系統１０１または分散型発電装置１０２から供給される交流電力を消費する機器である。
【００２７】
なお、以下では、電力系統１０１と分散型発電装置１０２間の電線１１６をＵ相、Ｗ相、Ｏ相と記して説明する。また、電力系統１０１と分散型発電装置１０２との間の電線１１６上、かつ分散型発電装置１０２と電力負荷１０４より電力系統１０１側で、電力系統１０１より電力を受電するポイントを受電点１０３とする。
【００２８】
そして、分散型発電装置１０２は、発電器１０５と、電力変換器１０６と、電力負荷である補機１０７（負荷）と、電圧センサ１０８と、電流センサ１０９と、電力計測器１１０と、制御器１１１と、記憶器１１２と、表示器１１３と、操作器１１４とを備えている。
【００２９】
ここで、発電器１０５は、燃料電池などで構成され直流電力を生成する。電力変換器１０６は、絶縁トランスを含む構成を有し、発電器１０５が生成する直流電圧を変圧した後、電力負荷１０４で消費可能な交流へ変換する。
【００３０】
補機１０７は、発電器１０５を駆動させるためのものであり、例えば、発電器１０５が燃料電池の場合、直流電力を生成するのに必要な酸素や水素を燃料電池へ供給するブロワ類や、燃料電池の温度を調整する水ポンプ、ヒータなどである。
【００３１】
電力計測器１１０は、電圧センサ１０８と、電流センサ１０９とから構成され、電圧センサ１０８で検出される電圧値と電流センサ１０９で検出される電流値の積により電力値を計測する。ここで、電圧センサ１０８は、Ｕ相−Ｏ相間、Ｗ相−Ｏ相間の電圧を検出する。電流センサ１０９は、カレントトランスなどで、電力系統１０１の電線に取付けられ、取付けられた位置に流れる電流の大きさおよび正負の方向を検出する（本実施の形態では、第１の電流センサ１０９ａをＵ相の受電点１０３、第２の電流センサ１０９ｂをＷ相の受電点１０３に取付ける）。なお、電力系統１０１から電力負荷１０４に流れる電力を正とし、順潮流と呼ぶ。また、分散型発電装置１０２から電力系統１０１に流れる電力を負とし、逆潮流と呼ぶ。
【００３２】
制御器１１１は、補機１０７を駆動することで発電器１０５の出力制御や、電力変換器１０６の出力制御をする。また、電流センサ１０９が電線から取り外されている場合、つまり電力計測器１１０への電流値の入力がゼロの場合に電力計測器１１０の零点である基準値を検出し、以後、電力計測器１１０が計測する電力値と基準値と差を電力値とする。ここで、制御器１１１は、演算処理機能を備えるものであればよい。制御器１１１として、マイクロコントローラ、ＣＰＵ、ＭＰＵ、論理回路、ＰＬＣ（Ｐｒｏｇｒａｍｍａｂｌｅ  Ｌｏｇｉｃ  Ｃｏｎｔｒｏｌｌｅｒ）等が例示される。制御器１１１は、電力計測器１１０が含まれていてもよい。この場合、制御器１１１は、集中制御する単独の制御装置であってもよいし、分散制御する複数の制御装置であってもよい。例えば、制御器１１１と電力計測器１１０が、単独の制御装置に格納されたプログラムによって実現されてもよい。
【００３３】
記憶器１１２は、ＥＥＰＲＯＭ等の不揮発性メモリで構成され、制御器１１１が検出する電力計測器１１０の基準値を記憶する。
【００３４】
操作器１１４は、タクトスイッチやメンブレンスイッチなどで構成され、作業者が所定の操作するものである。
【００３５】
表示器１１３は、ＬＣＤや７セグメントなどで構成され、装置の状態表示や異常表示、記憶器１１２において記憶された電力計測器１１０の基準値、およびその基準値に対応する電力値を表示するものである。
【００３６】
以上のように構成された分散型発電装置の動作および作用について、図１〜４を用いて説明する。
【００３７】
まず、図３を用いて具体的な電力計測器１１０の動作について説明する。
【００３８】
電力計測器１１０は、電圧センサ１０８からの電圧値と電流センサ１０９から信号増幅回路を経た電圧値をもとに、電力計測器１１０にある乗算器１１０ａにおいて積算し、ゼロ以上の正の交流信号とした後、フィルタ回路１１０ｂにて直流信号とする。この直流信号を信号増幅回路１１０ｃにて増幅し、デジタルアイソレーションアンプ１１０ｄによって制御器１１１のＡ／Ｄ入力ポートに入力可能な絶縁増幅された直流信号とする。さらに、信号増幅回路１１０ｅにて増幅し、制御器１１１のＡ／Ｄ入力ポートに入力する。
【００３９】
以上のような各回路においては、経年変化や温度ドリフトなどにより出力の零点である基準値ずれが発生する。つまり、電流センサが検出する電力値が０［Ａ］、または電圧センサが検出する電圧値が０［Ｖ］にも関わらず、電力計測器１１０が計測する電力値が０［Ｗ］とならないことがある。しがって、電力計測器１１０の電力値と基準値の差より電力値を算出する必要がある。
【００４０】
次に、図１、２を用いて電力計測器１１０の基準値検出の流れについて説明する。
【００４１】
電力計測器１１０の基準値の検出は、分散型発電装置１０２の施工時やメンテナンス時に作業者の作業過程により実施する。具体的には、作業者は、電流センサ１０９を電線から取外す（電力を流すステップ、ＳＴＥＰ１０１）。これにより、電流センサ１０９から電力計測器１１０への入力信号をゼロ、つまり０［Ａ］となる。次に、操作器１１４を操作することで、制御器１１１に対して電力計測器１１０の基準値検出を要求する（ＳＴＥＰ１０２）。
【００４２】
ここで、本実施の形態では、作業者が電流センサ１０９を電線から取外すとしたが、分散型発電装置１０２に電流センサ１０９の信号線の取付け口を設け、取付け口にて信号線を取外すとしてもかまわない。またこのとき、取付け口において電流センサ１０９の信号線の取付け状態を検出する状態検出器を備え、状態検出器が電流センサ１０９の信号線が取外されたと判断すると自動的に制御器１１１に対して電力計測器１１０の基準値検出を要求するようにしてもかまわない。
【００４３】
制御器１１１は、操作器１１４より電力計測器１１０の基準値検出の要求を受信すると、基準値検出を開始する。具体的には、まず、補機１０７を駆動する。補機１０７の駆動においては、例えば、補機１０７の消費電力が、電力計測器１１０の基準値ずれの最大値以上となるように補機１０７を駆動する（電力を流すステップ、ＳＴＥＰ１０３）。つまり、補機１０７を駆動することで、電力系統１０１から補機１０７へ電力供給されるため、電力負荷１０４の消費電力に関わらず、例えば、電力負荷１０４の消費電力が０［Ｗ］の場合においても、電流センサが取付けられていたポイントの受電点１０３において電力が流れることになる。なお、本実施の形態において、制御器１１１は補機１０７を駆動させることで受電点１０３において電力を流したが、分散型発電装置１０２外の電力負荷１０４を制御することで受電点１０３の電力を流してもかまない。
【００４４】
補機１０７を駆動後は、電力計測器１１０が計測する電力値をＵ相、Ｗ相ごとに取得する（ＳＴＥＰ１０４）。そして、取得したＵ相、Ｗ相いずれかの電力値が所定範囲内か否かを判定する（判定ステップ、ＳＴＥＰ１０５）。ここで所定範囲とは、駆動させる補機１０７の消費電力以下、かつ、電力計測器１１０の基準値ずれの最大値以上、例えば、補機１０７の消費電力が２００Ｗ、電力計測器１１０の基準値ずれの最大値が５０Ｗの場合、所定範囲を±１００Ｗに設定する。なお、＋１００Ｗはプラス側の基準値ずれ、−１００Ｗはマイナス側の基準値ずれと共に、マイナス側については、電流センサ１０９が確実に取外されておらず、かつ逆方向に取付けられている状態を考慮したものである。
【００４５】
ＳＴＥＰ１０５において、Ｕ相、Ｗ相いずれの電力値も所定範囲内の場合、Ｕ相、Ｗ相
の各々の電力値を基準値とし、記憶器１１２に記憶すると共に（基準値検出ステップ、ＳＴＥＰ１０６、１０７）、表示器１１３にて正常に基準値が検出できたことを表示する（ＳＴＥＰ１０８）。一方、所定範囲より大きい場合は、異常状態と判定し、表示器１１３にて正常に基準値が検出できなかったことを表示する（判定ステップ、ＳＴＥＰ１０９）。ここで、所定範囲より大きいということは電力計測器１１０が故障により基準値ずれが発生している、または電流センサ１０９が取り外れていないことを意味する。
【００４６】
最後に、作業者は、表示器１１３にて表示内容を確認すると基準値検出が終了したと判断し、電流センサ１０９を電線に取付ける（ＳＴＥＰ１１０）。
【００４７】
次に図１、図４を用いて電力算出の流れについて説明する。
【００４８】
電力の算出は、センシングを行った後（ＳＴＥＰ２０１、２０２）、算出（ＳＴＥＰ２０３〜２０５）を行う。
【００４９】
具体的には、受電点１０３における電圧センサ１０８で電圧値を検出し、（ＳＴＥＰ２０１）、電流センサ１０９で電流値を検出し、（ＳＴＥＰ２０２）、各々の検出結果を電力計測器１１０へ入力する。電力計測器１１０は、検出結果をもとに受電点１０３における電圧センサ１０８のＵ−Ｏ相間電圧値と第１の電流センサ１０９ａからの電流値との積からＵ相の電力値を算出し、電圧センサ１０８のＷ−Ｏ相間電圧値と第２の電流センサ１０９ｂからの電流値との積からＷ相の電力値を算出する（電力計測ステップ、ＳＴＥＰ２０３）。そして、算出結果を制御器１１１へ入力する。制御器１１１は、入力された各々の電力値を予め記憶器１１２に記憶する基準値との差をもとに電力値を算出した後（電力算出ステップ、ＳＴＥＰ２０４）、合算して電力値とする（ＳＴＥＰ２０５）。ここで、電力値の算出は、入力されたＵ相、Ｗ相の電力値に記憶器１１２に記憶する各々の基準値を減算することで算出する。
【００５０】
なお、本実施の形態では、判定ステップ、および基準値検出ステップ、電力算出ステップにおいてＵ相、Ｗ相いずれの電力値も即値を用いたが、数回サンプリングを行い、その平均値を用いてもかまわない。
【００５１】
また、本実施の形態では、電圧センサ１０８と電流センサ１０９を個別に取付けたが、電力計測器１１０をユニットとして、同じ位置に取付けてもかまわない。このとき、電力計測器１１０の基準値検出は、電力計測器１１０を電線上からはずして行う。
【００５２】
以上のように、本実施の形態においては、電力計測器１１０が電力計測する受電点１０３に電力を流し、電力計測器１１０が受電点１０３上にないことを確認した後、電力計測器１１０の基準値を検出することで、基準値ずれの誤検出を防止することができる。
【００５３】
また、本実施の形態においては、制御器１１１は、電力系統１０１から電力供給される補機１０７を制御することにより、電力系統１０１および分散型発電装置１０２の出力を消費する電力負荷１０４の消費電力に関わらず、確実に受電点１０３に電力を流すことができる。
【００５４】
（実施の形態２）
以下に、本発明の実施の形態２における分散型発電装置について、図面を用いて説明する。
【００５５】
図５は、本発明の第２の実施の形態における分散型発電装置のブロック図である。図６は、同実施の形態における電力計測器の基準値検出の流れを示すフローチャートである。
【００５６】
ここで、図５は、図１とは、電力計測器１１０の計測動作を制御するために、新たにリレー、フォトカプラなどで構成され、接点をオフすることで電圧センサ１０８から電力計測器１１０への信号を遮断することができる遮断器１１５を備えていることが異なる。なお、図５において図１と同様の構成要素については同じ符号を付け、説明を省略する。
【００５７】
以下に、本実施の形態の分散型発電装置の動作および作用について、図５、６を用いて説明する。ここで、電力計測器１１０の電力計測、および計測した電力と基準値との差からの電力を算出する方法は実施の形態１と同様であるため説明を省略し、電力計測器１１０の基準値検出の流れについて説明する。
【００５８】
電力計測器１１０の基準値検出は、発電器１０５が発電中に制御器１１１が実施する。具体的には、制御器１１１は、図示しない電力変換器１０６の入力または出力にある内部負荷で発電器１０５の発電電力を消費させ、電力変換器１０６の出力を停止し、補機１０７を駆動する（電力を流すステップ、ＳＴＥＰ３０１）。つまり、出力を停止、補機１０７を駆動することで、分散型発電装置１０２の出力電力や電力負荷１０４の消費電力に関わらず、例えば、分散型発電装置１０２の出力電力と、電力負荷１０４の消費電力が等しい場合や、電力負荷１０４の消費電力が０［Ｗ］の場合においても受電点１０３において電力を流すことができる。
【００５９】
次に、遮断器１１５へ信号を送って動作させることにより、電力計測器１１０に対する電圧センサ１０８の入力信号を遮断することで、電力計測器１１０の計測動作を停止させる（電力を流すステップ、ＳＴＥＰ３０３）。つまり、電圧センサ１０８から電力計測器１１０への入力信号をゼロ、つまり０［Ｖ］とする。そして、電力計測器１１０が計測する電力値をＵ相、Ｗ相ごとに取得する（ＳＴＥＰ３０４）。ここで、本実施の形態では、電圧センサ１０８と電力計測器１１０との間に遮断器１１５を設けたが、電流センサ１０９と電力計測器１１０との間に遮断器１１５を設けてもかまわない。
【００６０】
電力値を取得後は、取得したＵ相、Ｗ相いずれかの電力値が所定範囲内か否かを判定する（判定ステップ、ＳＴＥＰ３０５）。ここで所定範囲とは、本実施の形態１と同様であるため説明を省略する。
【００６１】
ＳＴＥＰ３０５において、Ｕ相、Ｗ相いずれの電力値も所定範囲内の場合、Ｕ相、Ｗ相の各々の電力値を基準値とし、記憶器１１２に記憶する（基準値検出ステップ、ＳＴＥＰ３０６、３０７）。そして、遮断器１１５へ信号を送って動作させることにより、電力計測器１１０に対する電圧センサ１０８の入力信号を接続し（ＳＴＥＰ３０８）、電力変換器１０６の出力を開始する（ＳＴＥＰ３０９）。なお、以後、記憶器１１２に記憶した基準値と電力計測器１１０の計測電力をもとに電力を算出する。一方、所定範囲より大きい場合は、異常状態と判定し、発電器１０５の発電を停止、運転を停止すると共に、表示器１１３にて異常表示し（判定ステップ、ＳＴＥＰ３１０、３１１）、遮断器１１５へ信号を送って動作させることにより電力計測器１１０に対する電圧センサ１０８の入力信号を接続する（ＳＴＥＰ３１２）。ここで、電力値が所定範囲より大きいということは、電力計測器１１０が故障している、または遮断器１１５が故障し、電力計測器１１０に対する電圧センサ１０８の入力信号が遮断されていないことである。
【００６２】
なお、本実施の形態では、電力を流すステップにおいて、電力変換器１０６の出力を停止し、補機１０７を駆動させたが、電力変換器１０６の出力を変動させてもかまわない。これにより、分散型発電装置１０２の出力電力や電力負荷１０４の消費電力に関わらず、例えば、分散型発電装置１０２の出力電力と、電力負荷１０４の消費電力が等しい場合おいても受電点１０３において電力を流すことができる。なお、判定ステップでは、例えば
、電圧センサ１０８の信号が遮断されていれば電力値は変動しないことから電力値の変動に基づき異常判定を行ってもかまわない。また、複数回の電力値に基づき異常判定を行ってもかまわない。
【００６３】
また、本実施の形態では、電力計測器１１０に対する電圧センサ１０８の入力信号を遮断することで、電力計測器１１０の計測動作を停止させたが、電圧センサ１０８、または電流センサ１０９、例えば図３に示す信号増幅器１０９ａ、電圧検出回路１０８への電源供給を遮断し、電力計測器１１０に対する電圧センサ１０８、電流センサ１０９の入力信号をゼロとしてもかまわない。
【００６４】
以上のように、本実施の形態においては、自動で電線を流れる電力を電力計測器１１０が計測できないようにすることができ、電力計測器１１０の基準値ずれの誤検出を防止することができる。
【００６５】
また、本実施の形態においては、制御器１１１は、電力系統１０１から電力供給される補機１０７を制御することにより、電力系統１０１および分散型発電装置１０２の出力を消費する電力負荷１０４の消費電力に関わらず、受電点に電力を流すことができる。
【産業上の利用可能性】
【００６６】
以上のように、本発明にかかる分散型発電装置は、電力計測器の基準値ずれの誤検出を防止できるため、太陽光発電装置、風力発電装置、太陽熱発電装置、ガスエンジン、燃料電池などの分散型発電装置等の用途にも適用することができる。
【符号の説明】
【００６７】
１  電力系統
２  受電点
３  電力計測器
９  負荷
１０  補機
１０１  電力系統
１０２  分散型発電装置
１０３  受電点
１０５  発電器
１０７  補機
１１０  電力計測器
１１１  制御器
１１２  記憶器
１１３  表示器
１１４  操作器
１１５  遮断器
１１６  電線
【図１】
2013258794.tif 000003
【図２】
2013258794.tif 000004
【図３】
2013258794.tif 000005
【図４】
2013258794.tif 000006
【図５】
2013258794.tif 000007
【図６】
2013258794.tif 000008
【図７】
2013258794.tif 000009